(57)【特許請求の範囲】
【請求項１】
放射性廃棄物を収納可能な廃棄物収納管が貯蔵室の天井側に支持されて配置され、
前記貯蔵室の下方に下部プレナムが形成され、この下部プレナムの一側が給気ダクトに連通される一方、前記下部プレナムの反対側で前記貯蔵室の壁面に排気ダクトが設けられ、
前記貯蔵室の天井に天井断熱材が設けられ、この天井断熱材下面の入口側角部に流れ案内用構造物を設置し、この構造物の下面に前記排気ダクト側に向く傾斜ガイド面を形成したことを特徴とする放射性廃棄物の冷却貯蔵設備。
【請求項２】
前記下部プレナムは、給気ダクトの給気口から排気ダクト側に向けてプレナム底面が冷却空気の流れ方向に上り階段状、上り傾斜状あるいは上り湾曲面状に構成された請求項１記載の放射性廃棄物の冷却貯蔵設備。
【請求項３】
前記貯蔵室に配置される廃棄物収納管は、途中に撹拌構造物が設けられ、この撹拌構造物は、斜辺が上方に向って拡開する傾斜が形成された請求項１または２記載の放射性廃棄物の冷却貯蔵設備。
【請求項４】
前記廃棄物収納管に係合して途中を支持する収納管サポートは、その構造材断面形状が下方に向って凸形状に構成され、前記収納管サポートに上方に向って拡開する傾斜ガイド面を形成した請求項１または２記載の放射性廃棄物の冷却貯蔵設備。
【発明の詳細な説明】
【技術分野】
【０００１】
本発明は放射性廃棄物の冷却貯蔵技術に係り、特に、原子力プラントで発生する低レベル放射性廃棄物を貯蔵室の収納管に効率よく有効的に収納して自然冷却し、貯蔵室内の温度を低温に保持可能な放射性廃棄物の冷却貯蔵設備に関する。
【背景技術】
【０００２】
原子力発電プラントでは、建屋の地下にコンクリート製ピットが構築され、このコンクリート製ピット内に低レベル放射性廃棄物の貯蔵室が形成される。貯蔵室内には、原子力発電プラントで発生する低レベル放射性廃棄物が収納されて貯蔵される。貯蔵室には放射性廃棄物を冷却する冷却通風路が形成される一方、放射線を遮蔽する構造となっている。
【０００３】
一般的なコンクリート材料は１００℃以上の温度で含有水の殆どが蒸発してしまう。コンクリート製ピット内は、中性子遮蔽に有効な水素含有量を維持するために、通常使用可能温度が６５℃以下、局所的な高温部でも９０℃以下とされており、放射性廃棄物からの発熱を効率よく冷却し、除去する必要がある。
【０００４】
コンクリート製ピット内に形成される貯蔵室の冷却方式は、給気ダクト口と排気ダクト口のヘッド差を利用した自然冷却方式である。貯蔵室の一側壁面側下部に形成された給気ダクトから冷却空気を貯蔵室に取り込み、取り込まれたれ冷却空気は貯蔵室内に放射性廃棄物を効率的に冷却して昇温した後、貯蔵室の反対側壁面上部に設置された排気ダクトから昇温した空気が外部に排出される構造となっている。
【０００５】
貯蔵室内に貯蔵される放射性廃棄物の冷却構造に関して特許文献１〜４に開示された技術がある。
【０００６】
特許文献１においては、貯蔵室内に放射性廃棄物を貯蔵した各収納管を収納させており、貯蔵室内の流量アンバランスによる各収納管の放熱ムラを低減させるために、収納管下部から収納管表面の通風管を通って上部プレナムに流出している。上部プレナムへ流出した流れがそのまま上昇し、排気ダクトを通してダクト頂部に流れがそのまま上昇して、上部プレナムの上方の左右対象位置にある排気口に排出する構造となっている。
【０００７】
また、特許文献２では、収納管表面に形成された通風管の下方が開放されており、通風管の下部から流入した冷却空気が上昇し、収納管上部の開口部から流出する構造に加えて、流出する収納管上部の開口部を収納管プラグによって開閉可能にしたもので、冷却する必要のある収納管に冷却空気が効率よく流れるように案内したものである。
【０００８】
さらに、特許文献３には、収納管表面に通風管を設けると、各通風管同士の間隔を設けることによる収容効率の低下や、通風管の支持架台建設のための高コスト化、収納管据付時の真空度調節による作業員の多大化があるとして、収納管表面に通風管を設けず、貯蔵室に直接収納管を収容し、収納管内の機密性をモニタするための圧力検知手段を収納管に設けている。
【０００９】
さらにまた、特許文献４には、貯蔵室の鋼製遮蔽壁と排気ダクト部の鋼製ダクトとを連通させて設置することによって、貯蔵室から排気ダクト部に亘って、コンクリート壁面に空気断熱層の隙間を形成し、コンクリートを効果的に保護できるようにしている。
【特許文献１】特開平７−２９４６９７号公報
【特許文献２】特開平１１−３３７６９４号公報
【特許文献３】特開平１１−２７１４９３号公報
【特許文献４】特開２００１−２７６９５号公報
【発明の開示】
【発明が解決しようとする課題】
【００１０】
従来の放射性廃棄物の冷却貯蔵設備においては、放射性廃棄物を収納した収納管を通風管内に納めて二重管構造としない場合があり、冷却空気は収納管の外表面に沿って長手方向に上昇するとは限らない。この場合には、複数の収納管を収納した貯蔵室の給気ダクト側から排気ダクト側に向って冷却空気が収納管を斜めに横切る流れが生じる。
【００１１】
斜めに横切る冷却空気の流れは、貯蔵室内各部の流量がアンバランスとなり、貯蔵室内で流体が淀んでしまう領域においては、貯蔵室の壁面温度が局所的に高くなってしまい、放射性廃棄物の崩壊熱により生じた発熱を有効的に効率よく冷却できない虞があった。
【００１２】
本発明は、上述した事情を考慮してなされたもので、冷却空気の流れを貯蔵室内で均一に保って貯蔵室天井の一側に生じがちな淀みの発生を防止し、貯蔵室内の熱溜りを解消し、貯蔵室内の温度を低く保つようにした放射性廃棄物の冷却貯蔵設備を提供することを目的とする。
【課題を解決するための手段】
【００１３】
本発明に係る放射性廃棄物の冷却貯蔵設備は、上述した課題を解決するために、放射性廃棄物を収納可能な廃棄物収納管が貯蔵室の天井側に支持されて配置され、前記貯蔵室の下方に下部プレナムが形成され、この下部プレナムの一側が給気ダクトに連通される一方、前記下部プレナムの反対側で前記貯蔵室の壁面に排気ダクトが設けられ、前記貯蔵室の天井に天井断熱材が設けられ、この天井断熱材下面の入口側角部に流れ案内用構造物を設置し、この構造物の下面に前記排気ダクト側に向く傾斜ガイド面を形成したものである。
【発明の効果】
【００１６】
本発明に係る放射性廃棄物の冷却貯蔵設備においては、貯蔵室内を流れる冷却空気の流れを略均一にし、貯蔵室の天井付近に生じがちな淀みの発生を防止し、貯蔵室内に熱溜りを解消し、貯蔵室内を効率よく冷却して温度を低く保つようしたものである。
【発明を実施するための最良の形態】
【００１７】
本発明に係る放射性廃棄物の冷却貯蔵設備の実施形態について添付図面を参照して説明する。
【００１８】
［第１の実施形態］
図１および図２は本発明に係る放射性廃棄物の冷却貯蔵設備の第１実施形態を示す構成図および平断面図である。
【００１９】
図１において、符号１０は、放射性廃棄物の冷却貯蔵設備を示す。この冷却貯蔵設備１０は、原子力発電プラントで発生する低レベル放射性廃棄物を廃棄物収納管１１内に収容して貯蔵室１２内で自然冷却させ、貯蔵するものである。放射性廃棄物の冷却貯蔵設備１０は、原子力発電プラントのコンクリート製ピット１３内の地下に構築された貯蔵室１２を有する。この貯蔵室１２は、仕切プレートを兼ねる下部プレナム板１５が下部水平方向に設けられて、上部プレナム１６および下部プレナム１７に仕切られる。上部プレナム１６は、廃棄物収納管１１の収納室を形成しており、この上部プレナム（収納室）１６と下部プレナム１７とから貯蔵室１２が構成される。
【００２０】
貯蔵室１２は、例えばボックス状あるいはキュービック状のチャンバに形成され、貯蔵室の天井２０側に複数の廃棄物収納管１１が固定され、貯蔵室１２内に配列される。
【００２１】
廃棄物収納管１１は貯蔵室天井２０側から下方に延び、途中がブロック状の収納管サポート２２で支持され、下部プレナム板１５の近傍で終端している。各廃棄物収納管１１の下端は、下部プレナム板１５のプレナム孔２１にそれぞれ対向し、廃棄物収納管１１の途中は、収納管サポート２２により多段式に支持される。
【００２２】
一方、貯蔵室１２の一側壁１２ａ下部、例えば一側壁の入口側隅部あるいはコーナ部（角部）に給気ダクト２４が、また、反対側の他側壁出口側、例えば貯蔵室１２の他側壁１２ｂの出口隅部あるいはコーナ部に排気ダクト２５がそれぞれ設けられる。給気ダクト２４に備えられた給気口２６は貯蔵室１２の下端入口部に開口する一方、排気ダクト２５の排気口２７は貯蔵室１２の反対側の上端出口部に開口している。
【００２３】
貯蔵室１２の下部には水平方向に拡がる下部プレナム１７が形成され、この下部プレナム１７の一側に給気ダクト２４の給気口２６が臨んでいる。下部プレナム１７は貯蔵室１２の下部を下部プレナム板１５で仕切っており、この下部プレナム板１５の上方にボックス状あるいはキュービック状収納室１６が構成される。この収納室１６に放射性廃棄物（放射性廃棄体）を収納した複数の廃棄物収納管１１が垂設される。
【００２４】
複数の廃棄物収納管１１は、例えばステンレス鋼等の金属で形成され、内部に低レベル放射性廃棄物が収容される。各廃棄物収納管１１は、下部プレナム板１５に向って下方に延び、その下端は下部プレナム板１５の通風孔であるプレナム孔１８近傍で終端し、プレナム孔１８にそれぞれ対向している。
【００２５】
また、貯蔵室１２の天井２０には、プレート状の天井断熱材２９が設置され、この天井断熱材２９の下面は下面ガイド面２９ａを形成し、排気口２７に向って水平方向あるいは斜め上方に向って延設される。貯蔵室１２には、天井断熱材２９の下面に、貯蔵室１２の一側壁（入口）側の角部に断面形状が、例えば三角形の流れ案内用構造物３０が設置され、この構造物３０の下面に、図１において右肩上りの傾斜ガイド面３０ａを構成している。天井断熱材２９はプレート状にあるいは給気口２６側から排気口２７側に向って肉厚が漸次薄肉化するように、下面ガイド面３０ａを形成してもよい。
【００２６】
しかして、放射性廃棄物の冷却貯蔵設備１０は、給気ダクト２４を通って下部プレナム１７に案内される冷却空気を、プレナム孔１８を通して収納室１６に導き、収納室１６に収納された放射性廃棄物を下方から上方に向って自然冷却方式で順次冷却するようになっている。貯蔵室１２には廃棄物収納管１１を下方から上方に向って順次冷却するように通風路が形成される。
【００２７】
廃棄物収納管１１を介して放射性廃棄物を冷却した冷却空気は熱せられて浮力により温度上昇しながら流れ案内用構造物３０の傾斜ガイド面３０ａおよび天井断熱材２９の下面ガイド面２９ｂに案内されて排出口２７に導かれ、排気ダクト２５を通り、水平方向から垂直方向に屈曲してダクト上部側から外部に放出される。
【００２８】
コンクリート製ピット１３内に形成される貯蔵室１２の冷却方式は、給気ダクト口と排気ダクト口のヘッド差を利用した自然冷却方式である。その際、排気ダクト２５を水平方向から垂直方向に屈曲させ、ダクト上部側を開放させることで、貯蔵室１２内の自然冷却作用をチムニ効果で促進させることができる。貯蔵室２５は廃棄物収納管１１の冷却貯蔵室として作用し、廃棄物収納管１１は冷却管として機能する。
【００２９】
次に、放射性廃棄物の冷却貯蔵設備１０の作用を説明する。
【００３０】
この冷却貯蔵設備１０は、冷却空気が貯蔵室１２内を冷却して、配管サポート２２間の間隙を通って上昇する自然冷却方式の例を示したが、給気ダクト２４側に図示しない逆風ファンを設けて、貯蔵室１２内を強制的に送風し、強制冷却させてもよい。
【００３１】
第１実施形態に示された放射性廃棄物の冷却貯蔵設備１０においては、給気ダクト２４から下部プレナム１７に流入した冷却空気は、下部プレナム板１５の通風孔１８を通って収納室１６に送り込まれる。収納室１６の下部に送り込まれた冷却空気は複数の廃棄物収納管１１の間の空間・間隙を上昇し、収納室１６の天井部に至る。収納室１６の天井部においては、流れ案内用構造物３０の傾斜ガイド面３０ａおよび天井断熱材２９の下面ガイド面２９ａに沿って案内され、排気口２７の方向に向って円滑かつスムーズに流れ、排気口２７から排気ダクト２５を通って環境中に排出される。
【００３２】
この放射性廃棄物の冷却貯蔵設備１０においては、貯蔵室１２の天井２０に設けられた天井断熱材２９は給気ダクト２４の入口側上壁部の隅部やコーナ部は、給気ダクト２４と排気ダクト２５を結ぶ対角線より遠い位置となるので、冷却空気の流れに淀みを生じ易く、部分的に温度上昇する傾向にある。しかし、貯蔵室１２の天井２０には天井断熱材２９が形成され、貯蔵室１２の一側壁（入口）側の天井断熱材２９の下部に流れ案内用構造物３０を配置し、この構造物３０の傾斜ガイド面３０ａは、排気ダクト２５の方向に向ってプレート状あるいは斜め上方に上り傾斜した下面ガイド面２９ａに形成したので、廃棄物収納管１１を冷却して温度上昇した冷却空気が傾斜ガイド面３０ａおよび天井断熱材２９の下面ガイド面２９ａに沿って排気ダクト２５へスムーズに排出され易くなる。
【００３３】
廃棄物収納管１１内には放射性廃棄物が収容され、この放射性廃棄物は所要レベル、例えば低レベルの放射線と崩壊熱を放出して温度上昇する。しかし、崩壊熱を発生させる放射性廃棄物には、廃棄物収納管１１に沿う長手方向あるいは斜め上方に向かう冷却空気流により積極的に効率よく自然冷却される。したがって、給気ダクト２４側の貯蔵室１２の天井２０に生じがちな淀みを開放し、収納室１６内の冷却空気の流れと略均一にすることができる。熱溜りを解消し、貯蔵室１２内の温度を低く保つことができる。また、廃棄物収納管１１は貯蔵室１２内に露出し、林立状態で収納されて多重管構造を備えていないので、熱効率がよく、しかも放射性廃棄物を効率よく収納することができる。
【００３４】
［第２の実施形態］
図３は本発明に係る放射性廃棄物の冷却貯蔵設備の第２の実施形態を示す説明図である。
【００３５】
第２実施形態の放射性廃棄物の冷却貯蔵設備１０Ａを説明するに当り、全体的構成は図１および図２の放射性廃棄物の冷却貯蔵設備１０と異ならないので、同じ構成には同一符号を付して図示を省略する。
【００３６】
第２実施形態の放射性廃棄物の冷却貯蔵設備１０Ａは、廃棄物収納管１１の例えば軸方向中央部あるいはその前後に、縦断面が三角形状例えば三角錐形状の撹拌構造物３３を設ける。この撹拌構造物３３は、例えば廃棄物収納管１１に軸対象に設置される。撹拌構造物３３は、廃棄物収納管１１の軸廻りに回転可能な例えば螺旋形状の空気を攪拌させる設置構造としてもよい。撹拌構造物３３は、拡開する傾斜ガイド面３３ａを有し、この傾斜ガイド面３３ａは上方に向って拡開あるいは螺旋状に拡開する。
【００３７】
次に、放射性廃棄物の冷却貯蔵設備１０Ａの作用を説明する。
【００３８】
この放射性廃棄物の冷却貯蔵設備１０Ａは、廃棄物収納管１１内に低レベル放射性廃棄物が収納されており、この放射性廃棄物は崩壊熱等の影響により発熱作用が行なわれて加熱される。廃棄物収納管１１で加熱された空気は、廃棄物収納管１１の軸方向に沿って上昇するが、この上昇流は、撹拌構造体３３の斜辺の傾斜ガイド面３３ａの拡開作用により、廃棄物収納管１１から離れる方向の成分が作用して撹拌される。
【００３９】
この廃棄物収納管１１は、軸方向中央部あるいはその前後に撹拌構造物３３を設け、この撹拌構造物３３で上昇する冷却空気に撹拌作用を付与し、冷却空気の上昇流を撹拌して温度の均一化を図り、廃棄物収納管１１内の放射性廃棄物の温度を収納室１６内で冷却している。
【００４０】
［第３の実施形態］
図４および図５は、本発明に係る放射性廃棄物の冷却貯蔵設備の第３実施形態を示す構成図および平断面図である。
【００４１】
第３実施形態の放射性廃棄物の冷却貯蔵設備１０Ｂを説明するに当り、第１実施形態に示された放射性廃棄物の冷却貯蔵設備１０と同じ構成には、同一符号を付して重複説明を省略する。
【００４２】
第３実施形態の放射性廃棄物の冷却貯蔵設備１０Ｂは、貯蔵室１２の下部に形成される下部プレナム１７のチャンバ構造を改良したものである。下部プレナム１７を構成する底板（床面）３４を冷却空気の流れ方向に上り階段状あるいは上り傾斜状あるいは湾曲面状に構成し、給気ダクト２４から下部プレナム１７に流入する冷却空気に、底板３４で上昇流を生じさせ、下部プレナム板１５のプレナム孔１８から収納室１６にスムーズに案内させたものである。
【００４３】
図４に示す放射性廃棄物の冷却貯蔵設備１０Ｂにおいては、下部プレナム１７の底面（床面）に底板３４を設け、下部プレナム１７に案内される冷却空気に底板３４で上昇流を付与させたので、下部プレナム板１５のプレナム孔１８から収納室１６に案内される冷却空気流、下部プレナム板１５の全面に亘り略均一に案内させることができる。本来、貯蔵室１２は給気ダクト２４側に近いほど、冷却空気がプレナム孔１８から収納室１６に流れにくい特性を有するが、下部プレナム１７に底板３４を設けることで、冷却空気が流れにくい特性を緩和することができ、この部分の熱溜りを解消し、温度を低く保つことができる。
【００４４】
［第４の実施形態］
図６および図７は本発明に係る放射性廃棄物の冷却貯蔵設備の第４実施形態を示す構成図および平断面図である。
【００４５】
この実施形態に示された放射性廃棄物の冷却貯蔵設備１０Ｃにおいて、第１実施形態に示された放射性廃棄物の冷却貯蔵設備１０と同じ構成には同一符号を付して重複説明を省略する。
【００４６】
第４実施形態に示された放射性廃棄物の冷却貯蔵設備１０Ｃは、貯蔵室天井２０の入口側角部近傍と排気ダクト２５を連通させ、貯蔵室天井２０の入口側角部近傍の冷却空気を排気ダクト２５に直接導くバイパス流路３５を設置したものである。バイパス流路３５の流入口側は貯蔵室天井２０の一側壁頂部角部に複数個の流入口あるいはスリット状流入口を設けてもよく、バイパス流路３５と天井２０の入口側頂部に設けることで、天井入口側の淀んだ部分の空気と排気ダクト２５に直接導いている。
【００４７】
なお、図６において、下部プレナム板１５の通風孔１８から収納室１６に案内された冷却空気を、収納室１６内で案内するフローガイド３６を設け、冷却空気がスムーズに上昇案内されるようにしてもよい。
【００４８】
第４実施形態によれば、貯蔵室１２の天井２０の入口側角部近傍の冷却空気を排気ダクト２５に直接導くバイパス流路３５を設置したので、天井近傍の入口側に淀みがちな温度の高い空気をバイパス流路３５に導いて排気ダクト２５に直接導くことができる。バイパス流路３５を設置したが、貯蔵室１２の天井入口側に冷却空気が流れにくい特性を緩和することができ、この部分の熱溜りを解消し、温度を低く保つことができる。
【００４９】
［第５実施形態］
図８および図９は、本発明に係る放射性廃棄物の冷却貯蔵設備の第５実施形態を示す図である。
【００５０】
この実施形態に示された放射性廃棄物の冷却貯蔵設備１０Ｄにおいて、第１実施形態に示された放射性廃棄物の冷却貯蔵設備１０と同じ構成には同一符号を付して重複説明を省略する。
【００５１】
第５実施形態に示された放射性廃棄物の冷却貯蔵設備１０Ｄは、貯蔵室１２の収納室１６に林立状態（垂設状態）に支持される廃棄物収納管１１を複数の収納管サポート２２で支持するが、この収納管サポート２２を図９（Ｂ）に示すように、側断面形状が下方に凸となるブロックの台形形状に構成される。収納管サポート２２は廃棄物収納管１１の長手方向（軸方向）に沿って複数個、間隔をおいて設けられ、各配管サポート２２間の間隙が収納室１６内で冷却空気の上方流路を構成している。
【００５２】
第５実施形態では、貯蔵室１２に収納された廃棄物収納管１１を複数の収納管サポート２２で支持し、各収納管サポート２２は側面台形形状に構成されるので、収納管サポート２２の表面では、冷却空気の上方への流れが水平方向の流れ成分をもった流れに変換される。
【００５３】
本実施形態では、収納管サポート２２の断面形状が下方に向って凸の台形形状に構成され、垂直上方への流れを水平方向の流れ成分を持つように変換されるので、周りの冷却空気と撹拌効果が得られ、収納室１６内の温度の均一化を図ることができる効果を有する。
【００５４】
［第６実施形態］
図１０は、本発明に係る放射性廃棄物の冷却貯蔵設備の第６実施形態を示す図である。
【００５５】
この実施形態に示される放射性廃棄物の冷却貯蔵設備１０Ｅは、図示しない側方蓋を開けて、冷却貯蔵庫３７内の貯蔵室１２に複数の廃棄物収納管１１を横から水平方向に挿入して、横架させる一方、冷却貯蔵庫３７の下方に給気ダクト３８と、その上方に排気ダクト３９をそれぞれ設ける。給気ダクト３８には入口遮蔽ルーバ４０を、排気ダクト３９の内部には出口遮蔽ルーバ４１が設置される。
【００５６】
本実施形態に示された放射性廃棄物の冷却貯蔵設備１０Ｅは、貯蔵室１２内に設置された廃棄物収納管１１の発熱により給気ダクト３８から流入した冷却空気Ａが熱せられ、給気ダクト３８から排気ダクト３９への上昇流れが生じる。冷却空気の上昇流は、廃棄物収納管１１の周りを通って貯蔵室１２内を上昇し、連絡部４５から排気ダクト３９に導かれ、排気ダクト３９から温度上昇した空気の流れＢとなって環境中に排出される。
【００５７】
第６実施形態によれば、冷却貯蔵庫３７に廃棄物収納管１１を横から水平方向に出入れ可能に挿入し、冷却貯蔵庫３７の下方に給気ダクト３８を設置し、冷却貯蔵庫３７の上方に排気ダクト３９を設置する。冷却貯蔵庫３７は給気ダクト３８および排気ダクト３９に向って次第に縮径するラッパ状の連絡部４４，４５がそれぞれ形成され、冷却貯蔵庫３７内の天井近傍の肩部（連絡部）４５において淀みが生じる場所が少なく、冷却貯蔵庫３７内の温度を低く保つことができる。
【００５８】
［第７実施形態］
図１１は、本発明に係る放射性廃棄物の冷却貯蔵設備の第７実施形態を示す図である。
【００５９】
この実施形態の放射性廃棄物の冷却貯蔵設備１０Ｆを説明するに当り、第６実施形態の放射性廃棄物の冷却貯蔵設備１０Ｅと同じ構成には、同一符号を付して重複説明を省略する。
【００６０】
図１１に示された放射性廃棄物の冷却貯蔵設備１０Ｆは、入口遮蔽ルーバ４０を冷却貯蔵庫３７の下部プレナムを構成する連絡部４４に設置し、入口遮蔽ルーバ４０の構成メンバである板（ルーバ）間角度をほぼ均等に構成する。
【００６１】
冷却貯蔵庫３７内に設置された廃棄物収納管１１は放射性廃棄物の発熱作用により熱せられる。給気側ダクト３８から貯蔵室１２に流入した冷却空気は廃棄物収納管１１で熱せられて上昇流が生じ、上昇する。冷却空気は貯蔵室１２の内部を均等に流れる。
【００６２】
本実施形態では、入口遮蔽ルーバ４０を冷却貯蔵庫３７の下部プレナムを構成する連絡部４０にほぼ均等な設置し、入口遮蔽ルーバ４０を構成するルーバ板間の角度をほぼ均等としたので、冷却貯蔵庫３７内を流れる冷却空気を入口部において整流化させることができ、冷却貯蔵庫３７内の貯蔵室１２に冷却空気を均一化して流すことができ、温度を低く保つことができる。
【図面の簡単な説明】
【００６３】
【図１】本発明に係る放射性廃棄物の冷却貯蔵設備の第１実施形態を示す縦断面図。
【図２】図１のＡ−Ａ線に沿う下部プレナム板の平面図。
【図３】本発明に係る放射性廃棄物の冷却貯蔵設備の第２実施形態を示す廃棄物収納管の構成例を示す図。
【図４】本発明に係る放射性廃棄物の冷却貯蔵設備の第３実施形態の構成を示す縦断面図。
【図５】図４のＡ−Ａ線に沿う下部プレナム板の平面図。
【図６】本発明に係る放射性廃棄物の冷却貯蔵設備の第３実施形態を示す縦断面図。
【図７】図６のＡ−Ａ線に沿う下部プレナム板の平面図。
【図８】本発明に係る放射性廃棄物の冷却貯蔵設備の第４実施形態を示す縦断面図。
【図９】（Ａ）は図８のＡ−Ａ線に沿う下部プレナム板の平面図、（Ｂ）は廃棄物収納管を支持する収納管サポートの断面図。
【図１０】本発明に係る放射性廃棄物の冷却貯蔵設備の第５実施形態を示す図。
【図１１】本発明に係る放射性廃棄物の冷却貯蔵設備の第６実施形態を示す図。
【符号の説明】
【００６４】
１０  放射性廃棄物の冷却貯蔵設備
１１  廃棄物収納管
１２  貯蔵室
１２ａ  一側壁
１２ｂ  他側壁
１３  コンクリート製ピット
１５  下部プレナム板
１６  上部プレナム（収納室）
１７  下部プレナム
１８  プレナム孔（通風孔）
２０  貯蔵室天井
２２  収納管サポート
２４  給気ダクト
２５  排気ダクト
２６  給気口
２７  排気口
２９  天井断熱材
２９ａ  下面ガイド面
３０  流れ案内用構造物
３０ａ  傾斜ガイド面
３３  撹拌構造物
３３ａ  傾斜ガイド面
３４  底板
３５  バイパス流路
３６  フローガイド
３７  冷却貯蔵庫
３８  給気ダクト
３９  排気ダクト
４０  入口遮蔽ルーバ
４１  出口遮蔽ルーバ
４４，４５  連絡部
【図１】
0004660518.tif 000002
【図２】
0004660518.tif 000003
【図３】
0004660518.tif 000004
【図４】
0004660518.tif 000005
【図５】
0004660518.tif 000006
【図６】
0004660518.tif 000007
【図７】
0004660518.tif 000008
【図８】
0004660518.tif 000009
【図９】
0004660518.tif 000010
【図１０】
0004660518.tif 000011
【図１１】
0004660518.tif 000012